(57)【特許請求の範囲】
【請求項１】
通信システムにおけるリソース配分のための方法であって、前記方法が、
ネットワーク装置において、ダウンリンクサブフレームにおける対応するＥＰＤＣＣＨダウンリンク割り当ての送信用に使用される第１の拡張制御チャネル要素のインデックスと、前記ＥＰＤＣＣＨダウンリンク割り当てが送信されるダウンリンクサブフレームのインデックスと、１つ又はそれ以上の構成パラメータとに基づいて時分割複信シグナリングにおけるＨＡＲＱ−ＡＣＫに対するＰＵＣＣＨフォーマット１ａ／１ｂリソースを決定する段階を含み、動的オフセット修飾子は、前記１つ又はそれ以上の構成パラメータの１つであり、前記動的オフセット修飾子は、前記動的オフセット修飾子がサブフレームインデックスｍに依存するように適用され、動的オフセット修飾子の複数のセットは、列が（Ｍ−１）個で行がｎ個のマトリックスＣであると定められ、Ｎは動的なスイッチングを実行するための選択肢の数に対応し、ＭはＨＡＲＱ−ＡＣＫフィードバックに対するアップリンクサブフレームに関連するダウンリンクサブフレームの数であり、前記サブフレームインデックスｍは前記動的オフセット修飾子ｋ（ｎ，ｍ）の値を決定するための１つの因子として使用され、ｎは、ＥＰＤＣＣＨを介したダウンリンク制御情報ＤＣＩとして信号で伝えられる動的なスイッチング選択肢のインデックスであることを特徴とする方法。
【請求項２】
前記１つ又はそれ以上の構成パラメータが、ＥＰＤＣＣＨセットに対して定められた第１の半静的ユーザ端末固有リソース開始オフセット、及び各ＥＰＤＣＣＨセットに対して定められた第２のユーザ端末固有リソースオフセット、のうちの１つ又はそれ以上を含む、ことを特徴とする請求項１に記載の方法。
【請求項３】
ＥＰＤＣＣＨを介してスケジューリングされるＰＤＳＣＨに対応するＨＡＲＱ−ＡＣＫに対して、マルチサブフレームＰＵＣＣＨフォーマット１ａ／１ｂリソース配分が実行される、ことを特徴とする請求項１又は２に記載の方法。
【請求項４】
Ｍ＝１である場合に、前記リソース決定が前記第２のユーザ端末固有リソースオフセットに依存していない、ことを特徴とする請求項２に記載の方法。
【請求項５】
Ｍ＞１である場合の時分割複信シグナリングにおいて、前記第２のユーザ端末固有リソースオフセットが、複数のダウンリンクサブフレームに対するＰＵＣＣＨ  ＨＡＲＱ−ＡＣＫリソースが、単一のアップリンクサブフレームにマッピングされる場合にリソース配分に影響を与える、ことを特徴とする請求項２に記載の方法。
【請求項６】
各ダウンリンクサブフレームに適用される各ＥＰＤＣＣＨセットに対する前記オフセットが、前記第１の半静的ユーザ端末固有リソース開始オフセット、第２のユーザ端末固有リソースオフセット、及びｍに依存しており、ここでｍ（０．．．Ｍ−１）は前記ダウンリンクサブフレームの相対インデックス、ＭはＨＡＲＱ−ＡＣＫフィードバックに対する前記アップリンクサブフレームに関連するダウンリンクサブフレームの数である、ことを特徴とする請求項２に記載の方法。
【請求項７】
前記動的オフセット修飾子ｋが、アンテナポート又は出力制御コマンドに依存している、ことを特徴とする請求項１から６の何れかに記載の方法。
【請求項８】
前記動的オフセット修飾子は、前記動的オフセット修飾子がサブフレームインデックスｍに依存しないように適用され、前記動的オフセット修飾子は、ＥＰＤＣＣＨが搬送するダウンリンク制御情報に基づいて得られる、ことを特徴とする請求項１から７の何れかに記載の方法。
【請求項９】
ｍ番目のサブフレームＸmに対応する前記ＡＣＫ／ＮＡＣＫリソースのリソースインデックスが、第１のサブフレームＸ０の前記リソースインデックスからＸ0＋Ｃ（ｍ）として得られ、ここでＣ（ｍ）が所定の定数である、ことを特徴とする請求項１から８の何れかに記載の方法。
【請求項１０】
前記マトリックスＣが、物理層よりも上位のプロトコル層を介して構成されている、ことを特徴とする請求項９に記載の方法。
【請求項１１】
前記動的オフセット修飾子ｋがアンテナポートｐに関連するアンテナポート固有のオフセットであり、ｐが、対応するＥＰＤＣＣＨの前記第１の制御チャネル要素ＣＣＥに割り当てられた、或いは明示的に信号で伝えられた又は非明示的に得られたパラメータに割り当てられたアンテナポートである、ことを特徴とする請求項１から６の何れかに記載の方法。
【請求項１２】
時分割複信シグナリングにおけるＥＰＤＣＣＨに対してＰＵＣＣＨフォーマット１ａ／１ｂリソースをスケジューリングが、次式
0006035621.tif 000039
に基づいており、
0006035621.tif 000040
がＨＡＲＱ−ＡＣＫ信号に対して割り当てられるＰＵＣＣＨフォーマット１ａ／１ｂリソースであり、
0006035621.tif 000041
がＥＰＤＣＣＨセットに対して定められた前記第１の半静的ユーザ端末固有リソース開始オフセットであり、
0006035621.tif 000042
がＭ＞１である場合にＥＰＤＣＣＨセットに対して定められた前記第２のユーザ端末固有リソースオフセットであり、ＭがＨＡＲＱ−ＡＣＫフィードバックに対するアップリンクサブフレームに関連するダウンリンクサブフレームの数であり、ｍがダウンリンクサブフレームの相対インデックスであり、
0006035621.tif 000043
であり、
0006035621.tif 000044
がダウンリンクサブフレームｎ−ｋmにおける対応するＥＰＤＣＣＨダウンリンク割り当ての送信用に使用される前記第１の拡張制御チャネル要素ｅＣＣＥのインデックスであり、ｍがダウンリンクサブフレームの相対インデックスであり、
0006035621.tif 000045
であり、ｋが動的オフセット修飾子である、ことを特徴とする請求項２に記載の方法。
【請求項１３】
少なくとも１つのプロセッサと、コンピュータプログラムコードを含む少なくとも１つのメモリとを備える装置であって、前記少なくとも１つのメモリ及びコンピュータプログラムコードが、前記少なくとも１つのプロセッサを用いて、前記装置に対して、
アップリンクサブフレームにおける対応するＥＰＤＣＣＨダウンリンク割り当ての送信用に使用される第１の拡張制御チャネル要素のインデックスと、ＥＰＤＣＣＨダウンリンク割り当てが送信されるダウンリンクサブフレームのインデックスと、１つ又はそれ以上の構成パラメータとに基づいて、時分割複信シグナリングにおけるＨＡＲＱ−ＡＣＫに対するＰＵＣＣＨフォーマット１ａ／１ｂリソースを決定させるように構成され、動的オフセット修飾子は、前記１つ又はそれ以上の構成パラメータの１つであり、前記装置は、前記動的オフセット修飾子は、前記動的オフセット修飾子がサブフレームインデックスｍに依存するように適用させ、動的オフセット修飾子の複数のセットは、列が（Ｍ−１）個で行がｎ個のマトリックスＣであると定められ、Ｎは動的なスイッチングを実行するための選択肢の数に対応し、ＭはＨＡＲＱ−ＡＣＫフィードバックに対するアップリンクサブフレームに関連するダウンリンクサブフレームの数であり、前記サブフレームインデックスｍは前記動的オフセット修飾子ｋ（ｎ，ｍ）の値を決定するための１つの因子として使用され、ｎは、動的なスイッチング選択肢のインデックスであることを特徴とする装置。
【請求項１４】
前記１つ又はそれ以上の構成パラメータが、ＥＰＤＣＣＨセットに対して定められた第１の半静的ユーザ端末固有リソース開始オフセット、及び各ＥＰＤＣＣＨセットに対して定められた第２のユーザ端末固有リソースオフセット、ことを特徴とする請求項１３に記載の装置。
【請求項１５】
前記少なくとも１つのメモリ及びコンピュータプログラムコードが、前記少なくとも１つのプロセッサを用いて、前記装置に対して、ＥＰＤＣＣＨを介してスケジューリングされるＰＤＳＣＨに対応するＨＡＲＱ−ＡＣＫに対するマルチサブフレームＰＵＣＣＨフォーマット１ａ／１ｂリソース配分を実行させるように構成されている、ことを特徴とする請求項１３又は１４に記載の装置。
【請求項１６】
Ｍ＝１である場合に、前記リソース決定が、前記第２のユーザ端末固有リソースオフセットに依存していない、ことを特徴とする請求項１４に記載の装置。
【請求項１７】
Ｍ＞１である場合の時分割複信シグナリングにおいて、前記第２のユーザ端末固有リソースオフセットが、複数のダウンリンクサブフレームに対するＰＵＣＣＨ  ＨＡＲＱ−ＡＣＫリソースが、単一のアップリンクサブフレームにマッピングされる場合にリソース配分に影響を与える、ことを特徴とする請求項１４に記載の装置。
【請求項１８】
各ダウンリンクサブフレームに適用される各ＥＰＤＣＣＨセットに対する前記オフセットが、前記第１の半静的ユーザ端末固有リソース開始オフセット、第２のユーザ端末固有リソースオフセット、及びｍに依存しており、ここでｍ（０．．．Ｍ−１）が前記ダウンリンクサブフレームの相対インデックスであり、ＭがＨＡＲＱ−ＡＣＫフィードバックに対するアップリンクサブフレームに関連するダウンリンクサブフレームの数である、ことを特徴とする請求項１４に記載の装置。
【請求項１９】
前記少なくとも１つのメモリ及びコンピュータプログラムコードが、前記少なくとも１つのプロセッサを用いて、前記装置に対して、アンテナポート又は出力制御コマンドに依存している前記動的オフセット修飾子ｋを適用させるように構成されている、ことを特徴とする請求項１３から１８の何れかに記載の装置。
【請求項２０】
前記少なくとも１つのメモリ及びコンピュータプログラムコードが、前記少なくとも１つのプロセッサを用いて、前記装置に対して、ＥＰＤＣＣＨが搬送するダウンリンク制御情報ＤＣＩに基づいて得られる前記動的オフセット修飾子がサブフレームインデックスｍに依存しないように、前記動的オフセット修飾子を適用させるように構成されている、ことを特徴とする請求項１３から１９の何れかに記載の装置。
【請求項２１】
ｍ番目のサブフレームＸmに対応する前記ＡＣＫ／ＮＡＣＫリソースのリソースインデックスが、第１のサブフレームＸ０の前記リソースインデックスからＸ0＋Ｃ（ｍ）として得られ、ここでＣ（ｍ）が所定の定数である、ことを特徴とする請求項１３から２０の何れかに記載の装置。
【請求項２２】
前記少なくとも１つのメモリ及びコンピュータプログラムコードが、前記少なくとも１つのプロセッサを用いて、前記装置に対して、物理層よりも上位のプロトコル層を介してマトリックスＣを定めさせるように構成されている、ことを特徴とする請求項２１に記載の装置。
【請求項２３】
前記動的オフセット修飾子ｋが、アンテナポートｐに関連するアンテナポート固有のオフセットであり、ｐが対応するＥＰＤＣＣＨの前記第１の制御チャネル要素ＣＣＥに割り当てられた、或いは明示的に信号で伝えられた又は非明示的に得られたパラメータに割り当てられたアンテナポートである、ことを特徴とする請求項１３から１８の何れかに記載の装置。
【請求項２４】
前記少なくとも１つのメモリ及びコンピュータプログラムコードが、前記少なくとも１つのプロセッサを用いて、前記装置に対して、パラメータ
0006035621.tif 000046
を、第１のＥＰＤＣＣＨセットに対応するＰＵＣＣＨリソースの数＋第２のＥＰＤＣＣＨセットに対応するＰＵＣＣＨリソースの数として、又は第１のＥＰＤＣＣＨセットにおけるｅＣＣＥの番号＋第２のＥＰＤＣＣＨセットにおけるｅＣＣＥの番号として、設定させるように構成されている、ことを特徴とする請求項１３から２３の何れかに記載の装置。
【請求項２５】
前記少なくとも１つのメモリ及びコンピュータプログラムコードが、前記少なくとも１つのプロセッサを用いて、前記装置に対して、
次式、
0006035621.tif 000047
に基づいて時分割複信シグナリングにおけるＥＰＤＣＣＨに対してＰＵＣＣＨフォーマット１ａ／１ｂリソースをスケジューリングさせるように構成されており、
0006035621.tif 000048
がＨＡＲＱ−ＡＣＫ信号に対して割り当てられるＰＵＣＣＨフォーマット１ａ／１ｂリソースであり、
0006035621.tif 000049
がＥＰＤＣＣＨセットに対して定められた前記第１の半静的ユーザ端末固有リソース開始オフセットであり、
0006035621.tif 000050
がＭ＞１である場合にＥＰＤＣＣＨセットに対して定められた前記第２のユーザ端末固有リソースオフセットであり、Ｍは、ＨＡＲＱ−ＡＣＫフィードバックに対するアップリンクサブフレームに関連するダウンリンクサブフレームの数であり、ｍがダウンリンクサブフレームの相対インデックスであり、
0006035621.tif 000051
であり、
0006035621.tif 000052
がダウンリンクサブフレームｎ−ｋmにおける対応するＥＰＤＣＣＨダウンリンク割り当ての送信用に使用される前記第１の拡張制御チャネル要素ｅＣＣＥのインデックスであり、ｍがダウンリンクサブフレームの相対インデックスであり、
0006035621.tif 000053
であり、ｋが動的オフセット修飾子である、ことを特徴とする請求項１４に記載の装置。
【請求項２６】
プロセッサによって実行されたときに、請求項１から１２の何れかに記載の方法を実行するように構成されたプログラムコードを記憶したコンピュータ可読記憶媒体。
【請求項２７】
ＥＰＤＣＣＨセットの構成上の情報を受信する段階であって、前記構成はＥＰＤＣＣＨセット固有のＰＵＣＣＨリソース開始オフセット、及び前記ＥＰＤＣＣＨセット中のｅＣＣＥの数に等しいかその倍数である、少なくとも１つのＥＰＤＣＣＨセット固有のパラメータを含むものである段階と、
ＤＬサブフレームの相対インデックス、ダウンリンク割り当てを搬送する前記ＥＰＤＣＣＨセットの第１の拡張制御チャネル要素のインデックス、及び動的オフセット修飾子のインデックスを決定する段階と、
前記ＤＬサブフレームの前記相対インデックス及び動的オフセット修飾子の前記インデックスを使用して前記動的オフセット修飾子を決定する段階と、
前記受信した情報、ダウンリンク割り当てを搬送する前記ＥＰＤＣＣＨセットの前記第１の拡張制御チャネル要素の前記インデックス、前記ＤＬサブフレームの前記決定された相対インデックス、前記決定された動的オフセット修飾子に基づいて少なくとも１つのＰＵＣＣＨを決定する段階と、
前記少なくとも１つの決定されたＰＵＣＣＨリソースを使用してＨＡＲＱ−ＡＣＫを送信する段階と、を含む方法。
【請求項２８】
前記少なくとも１つのＥＰＤＣＣＨセット固有のパラメータのダウンリンクサブフレームを具体的に適用する段階をさらに含む請求項２７に記載の方法。
【請求項２９】
前記ＤＬサブフレームの前記相対インデックスを１に設定する段階と、前記第１のサブフレームの前記少なくとも１つのＰＵＣＣＨリソースのリソースインデックスから第２のサブフレームのための前記少なくとも１つのＰＵＣＣＨリソースのインデックスを導く段階と、をさらに含む請求項２７又は２８に記載の方法。
【請求項３０】
サブフレームが重なり合うようにするために、前記少なくとも１つのＥＰＤＣＣＨセット固有のパラメータをゼロに設定する段階、をさらに含む請求項２７から２９の何れかに記載の方法。
【発明の詳細な説明】
【技術分野】
【０００１】
本発明の例示的で非限定的な実施形態は、概して、無線通信ネットワークに関し、より具体的にはリソースの配分（ａｌｌｏｃａｔｉｏｎ）に関する。
【背景技術】
【０００２】
背景技術の以下の説明は、本発明に先行する関連技術には知られていない、本発明により提供される開示とともに、見識、発見、理解又は開示、或いは関連性を含むことができる。本発明のこのような寄与は、以下で具体的に指摘しているものもあれば、文脈から明らかになるものもある。本発明のこのような寄与は、以下に具体的に示すことができ、本発明のこのような別の寄与は、その文脈から明らかである。
【０００３】
ＰＵＣＣＨ（物理アップリンク制御チャネル）は、アップリンク制御情報を搬送し、１、１ａ、１ｂ、２、２ａ、２ｂ、及び３のような複数のフォーマットをサポートする。ＰＵＣＣＨが可能である場合には、ＰＵＣＣＨ用に確保された周波数領域において少なくとも１つのリソースブロックが存在する。時間領域では、各スロットは、ＦＤＤモードにおいてＰＵＣＣＨリソースブロックを有し、各アップリンクスロットは、ＴＤＤモードにおいてＰＵＣＣＨ  ＲＢを有する。ＰＵＣＣＨフォーマット１／１ａ／１ｂリソースは、リソースインデックスによって識別される。
【発明の概要】
【０００４】
以下、本発明の幾つかの態様の基本的な理解をもたらすために、本発明の簡略化した概要を示す。この概要は、本発明の広範な概説ではない。本発明の主要／重要な要素を特定すること、又は本発明の範囲を示すことを目的とするものでもない。後述する詳細な説明の前置きとして本発明の幾つかの概念を簡略化した形で示すことのみを目的とする。
【０００５】
本発明の様々な態様は、独立請求項において定義された方法、装置、コンピュータプログラム製品、及びコンピュータ可読記憶媒体を含む。本発明の別の実施形態は、従属請求項において開示される。
【０００６】
本発明の態様は、通信システムにおけるリソース配分の方法に関し、本方法は、ネットワーク装置において、ダウンリンクサブフレームにおける対応するＥＰＤＣＣＨダウンリンク割り当て（ａｓｓｉｇｎｍｅｎｔ）の送信用に使用される第１の拡張制御チャネル要素のインデックスと、ＥＰＤＣＣＨダウンリンク割り当てが送信されるダウンリンクサブフレームのインデックスと、１つ又はそれ以上の構成パラメータとに基づいて、時分割複信シグナリングにおけるＨＡＲＱ−ＡＣＫに対するＰＵＣＣＨフォーマット１ａ／１ｂリソースを決定する段階を含む。
【０００７】
本発明の別の態様は、少なくとも１つのプロセッサと、コンピュータプログラムコードを含む少なくとも１つのメモリと、を備えた装置に関し、少なくとも１つのメモリ及びコンピュータプログラムコードは、少なくとも１つのプロセッサを用いて、該装置に対して、ダウンリンクサブフレームにおける対応するＥＰＤＣＣＨダウンリンク割り当ての送信用に使用される第１の拡張制御チャネル要素のインデックスと、ＥＰＤＣＣＨダウンリンク割り当てが送信されるダウンリンクサブフレームのインデックスと、１つ又はそれ以上の構成パラメータとに基づいて、時分割複信シグナリングにおけるＨＡＲＱ−ＡＣＫに対するＰＵＣＣＨフォーマット１ａ／１ｂリソースを決定させるように構成されている。
【０００８】
本発明の更に別の態様は、少なくとも１つのプロセッサと、コンピュータプログラムコードを含む少なくとも１つのメモリと、を備えるユーザ端末に関し、少なくとも１つのメモリ及びコンピュータプログラムコードは、少なくとも１つのプロセッサを用いて、ユーザ端末に対して、ダウンリンクサブフレームにおける対応するＥＰＤＣＣＨダウンリンク割り当ての送信用に使用される第１の拡張制御チャネル要素のインデックスと、ＥＰＤＣＣＨダウンリンク割り当てが送信されるダウンリンクサブフレームのインデックスと、１つ又はそれ以上の構成パラメータと、に基づいて、時分割複信シグナリングに対するＥＰＤＣＣＨによりスケジューリングされるＰＤＳＣＨにＰＵＣＣＨフォーマット１ａ／１ｂリソースマッピングを適用させるように構成されている。
【０００９】
本発明の更に別の態様は、コンピュータ上でプログラムが実行されたときに、方法のステップの何れかを実行するように構成されたプログラムコード手段を含むコンピュータプログラム製品に関する。
【００１０】
本発明の更に別の態様は、コンピュータ上で実行されたときに、方法のステップの何れかを実行するように構成されたプログラムコード手段を含むコンピュータ可読記憶媒体に関する。
【００１１】
以下では、添付図面を参照しながら好ましい実施形態により本発明を詳細に説明する。
【図面の簡単な説明】
【００１２】
【図１】Ｒｅｌ−８／９／１０に従ったマルチＳＦ  ＰＵＣＣＨリソース配列を示す図である。
【図２】完全に直交するＰＵＣＣＨ領域を用いた例示的なマルチＳＦ  ＰＵＣＣＨリソース配列を示す図である。
【図３】完全に直交するＰＵＣＣＨ領域を用いた別の例示的なマルチＳＦ  ＰＵＣＣＨリソース配列を示す図である。
【図４】例示的なシステムアーキテクチャを示す簡略的なブロック図を示す。
【図５】例示的な装置を示す簡略的なブロック図を示す。
【図６】本発明の実施形態による例示的なメッセージングイベントを示すシグナリング図を示す。
【図７】本発明の例示的な実施形態によるフローチャートの概略図を示す。
【図８】本発明の例示的な実施形態によるフローチャートの概略図を示す。
【発明を実施するための形態】
【００１３】
ＥＰＤＣＣＨを介してスケジューリングされるＰＤＳＣＨトランスポートブロックに対応するＨＡＲＱ−ＡＣＫに対するＰＵＣＣＨフォーマット１ａ／１ｂリソース配分は、３ＧＰＰ  ＲＡＮ１＃７０ミーティングにおいて議論されている。対応するＥＰＤＣＣＨの最下位のｅＣＣＥインデックスは、ＰＵＣＣＨリソース決定の構成要素であり、ＵＥは、各ＥＰＤＣＣＨセットに対する半静的ＰＵＣＣＨリソース開始オフセットを用いて構成されており（ｅＣＣＥは、ＥＰＤＣＣＨセット毎にインデックス付けされる）、
選択肢Ａ）動的に信号で伝えられるＥＰＤＣＣＨによるＰＵＣＣＨリソースオフセットを使用しない、
選択肢Ｂ）動的に信号で伝えられるＥＰＤＣＣＨによるＰＵＣＣＨリソースオフセット、
の間でＲＡＮ１＃７０ｂｉｓまでの更なる検討課題であり、選択肢Ａと選択肢Ｂとの何れが選択された場合にもＲＲＣシグナリングが導入されず、
選択肢Ｘ）アンテナポートインデックスを使用しないこと、
選択肢Ｙ）ＥＰＤＣＣＨのアンテナポートインデックスを使用すること、
選択肢Ｚ）ＰＤＳＣＨのアンテナポートインデックスを使用すること、
の間のローカライズされたＥＰＤＣＣＨに対してＲＡＮ１＃７０ｂｉｓまでＦＳＳであり、ＴＤＤの態様はＦＦＳであり、解決手段が必要な場合には、ＲＲＣへの影響がない解決手段を目指すことが取り決められている。
【００１４】
ＰＤＳＣＨデータをスケジューリングするＥＰＤＣＣＨ  ＤＬ割り当ての最下位のｅＣＣＥインデックスは、非明示的なＰＵＣＣＨリソース配分におけるリソースインデックスとして使用される。更に、半静的リソース開始オフセットは、各ＥＰＤＣＣＨセットに対して構成可能であり（ＥＰＤＣＣＨセットの構成はＵＥ固有）、例えば、ＥＰＤＣＣＨとＰＤＣＣＨとの間、並びに異なるＥＰＤＣＣＨセットの間のＰＵＣＣＨリソース衝突を防止するのに使用することができる。
【００１５】
ＰＵＣＣＨリソース使用（又はＵＬにおけるＰＵＣＣＨオーバヘッド全体）の効率性を考慮すると、ＰＤＣＣＨ及び／又は異なるＥＰＤＣＣＨセットを介してスケジューリングされるＰＤＳＣＨに対応するＨＡＲＱ−ＡＣＫに対するリソース領域は、重なり合うように構成することができる。加えて、衝突を防止するために、ＥＰＤＣＣＨを介してＤＬ  ＤＣＩにおいて信号で伝えられる動的なリソースオフセット（すなわち、ＰＤＳＣＨをスケジューリングする同じＤＣＩ）を採用することができる。この動的なオフセットは、複数のリソース間の選択とみなすことができ、各リソースは、非明示的に得られたリソースに関連付ける必要がある（明示的に構成されたリソースではなく、ＣＡ内のＳＣｅｌｌに対するフォーマット１ａ／１ｂリソースと同様）点に留意されたい。
【００１６】
ＥＰＤＣＣＨ上でのＭＵ−ＭＩＭＯの可能性を考慮すると、アンテナポート（ＡＰ）のインデックスは、ローカライズされたＥＰＤＣＣＨに対する非明示的なリソースマッピングに含めることができる。
【００１７】
上記の説明は、追加の仕様サポートがＴＤＤに必要であるか否かにかかわらず、主にＦＤＤを考慮している。例示的な実施形態は、ＴＤＤ動作の場合、ＥＰＤＣＣＨを介してスケジューリングされるＰＤＳＣＨに対応するＨＡＲＱ−ＡＣＫに対するＰＵＣＣＨリソース配分を処理することである。
【００１８】
ＴＤＤに対するＰＵＣＣＨフォーマット１ａ／１ｂリソース配分における問題は、１つより多いＤＬサブフレームが、単一のＵＬサブフレームに関連付けられる場合があることである。表１に示すように、Ｍ個（Ｍは、１、２、３、４とすることができ（４つまでのサブフレームが、チャネル選択との組み合わせにおいてＡ／Ｎ多重化を用いてサポートされる必要があり、ＵＬ−ＤＬ構成＃５は、それのみがＡ／Ｎバンドリングをサポートする点において、特殊な事例とみなされる））のＤＬサブフレームに対応するＨＡＲＱ−ＡＣＫが、１つのＵＬサブフレームにおいて報告される。これは、ＲＡＮ１＃７０の協定事項以外に何も規定されていない場合には、Ｍ個のＤＬサブフレームに対応するＰＵＣＣＨリソースが衝突することを意味する。
【００１９】
表１  ＴＤＤに対するダウンリンクアソシエーションセットインデックスＫ：Ｋ：｛ｋ0,ｋ1,・・・ｋM-1｝
0006035621.tif 000002
【００２０】
動的なリソースオフセットを使用して、このような衝突を防止することができるが、動的なリソースオフセットが採用されるか否かは決定されておらず、決定された場合でも、複数のＤＬサブフレーム間のリソース衝突（ＰＤＣＣＨに対応するＰＵＣＣＨフォーマット１ａ／ｂリソースと、異なるＵＥに対応する異なるＥＰＤＣＣＨセットとの間の衝突）を処理するのには十分ではない場合がある。
【００２１】
要約すると、複数のＤＬサブフレームに対応するＰＵＣＣＨリソースの配列（マルチＳＦ  ＰＵＣＣＨリソース配列）には問題がある。具体的には、別々のＰＵＣＣＨリソース領域が各ＤＬサブフレームに対応するＨＡＲＱ−ＡＣＫ用に確保される場合、各ＥＰＤＣＣＨセットに対する半静的リソース開始オフセットをどのように定義するかが問題であり、異なるＤＬサブフレームに対するリソース領域が重なり合う可能性がある場合には、複数のＤＬサブフレームに対応するＨＡＲＱ−ＡＣＫ間のＰＵＣＣＨリソース衝突をどのように解決するかが問題である。
【００２２】
既存の解決手段では、Ｒｅｌ−８／９／１０のＴＤＤ動作におけるＰＤＣＣＨに関して、複数のＤＬサブフレームに対応するＰＵＣＣＨリソースは、関連するＵＬサブフレームにおいて連結及びインターリーブされ（例えば、ＤＬサブフレーム毎の４０個のＣＣＥ及びＭ＝２を用いて、８０個のＰＵＣＣＨリソースが確保される）、異なるサブフレーム間のリソース衝突は存在しない。具体的には、ＰＤＣＣＨ  ＯＦＤＭシンボル［ｓ１，ｓ２，ｓ３，・・・］及びサブフレーム［ＳＦ１，ＳＦ２，ＳＦ３，・・・］に対応するＰＤＣＣＨリソースは、以下の順番でＰＵＣＣＨにマッピングされる。
・ＳＦ１−ｓ１
・ＳＦ２−ｓ１
・ＳＦ３−ｓ１
・．．．
・ＳＦ１−ｓ２
・ＳＦ２−ｓ２
・ＳＦ３−ｓ２
・．．．
【００２３】
この配列の否定的側面は、異なるＤＬサブフレーム及びＰＤＣＣＨ  ＯＦＤＭシンボルに対応するＰＵＣＣＨ領域が完全に非重複であるので、ＵＬオーバヘッドが最大になることである。
【００２４】
しかしながら、Ｒｅｌ−８／９／１０指針の直接の再利用は、ＰＤＣＣＨ及び対応するＰＵＣＣＨリソース領域がセル内の各ＵＥに共通であり、ＥＰＤＣＣＨセット及び対応するＰＵＣＣＨ領域がＵＥ固有であるので、有利な解決手段ではない。従って、異なるＤＬサブフレームに対応するＰＵＣＣＨリソース領域の連結は、衝突のない動作を保証することはできない。或いは、セット２に対するオフセットパラメータが、Ｍ＞１である場合に衝突を防止する程大きく構成されている場合には、リソースフラグメンテーションに起因した過度なＰＵＣＣＨリソースオーバヘッドとなる。
【００２５】
図１は、Ｍ＝１を仮定したＮ＿ＵＥ−ＰＵＣＣＨ構成、及びＲｅｌ−８／９／１０指針の直接の再利用を示しており、ここでは、２つのＥＰＤＣＣＨセット（セット１及びセット２）が構成されている。図１は、単にＲｅｌ−８／９／１０に従ったマルチＳＦ  ＰＵＣＣＨリソース配列を示している。複数のサブフレームからのＨＡＲＱ−ＡＣＫが単一のＵＬサブフレームにマッピングする場合において、２つのＥＰＤＣＣＨセットに対するＰＵＣＣＨリソースが重なり合う／衝突する。図１は、ＴＤＤ  ＵＬ−ＤＬ構成１（表１を参照）に対応するとみなすことができ、ＨＡＲＱ−ＡＣＫシグナリングの観点から、ＵＬサブフレーム（＃３及び＃８）の一部が、単一のＤＬサブフレーム（図１の上部のように）に関連し、他の幾つかのＵＬサブフレーム（＃２及び＃７）が、２つのＤＬサブフレーム（図１の下部）に関連する。セット１及びセット２に対する半静的オフセットは、それぞれＮ＿ＵＥ−ＰＵＣＣＨ＿１及びＮ＿ＵＥ−ＰＵＣＣＨ＿２である。これは、図１と同様の構成を用いて、図１の上部のセット１及びセット２に関して完全に別個のＰＵＣＣＨ領域を有することになる。単に各ＥＰＤＣＣＨセットに対するＳＦ１に対するリソースの後にＳＦ２に対するリソースを配置することにより、図１の下部におけるような｛セット１，ＳＦ２｝、｛セット２，ＳＦ１｝、及び｛セット２，ＳＦ２｝の間の衝突が存在する。これは、半静的オフセットによる衝突防止が、第１のＤＬサブフレームに対してのみ有効であることを意味する。また、動的なオフセットであっても、重なり合うリソースが異なるサブフレームに関連付けられる場合（例えば、図１）において実際のスケジューラが衝突を処理することは困難である点に留意されたい。
【００２６】
ＦＤＤの場合では、ＥＰＤＣＣＨによりスケジューリングされるＰＤＳＣＨに応答したＰＵＣＣＨフォーマット１ａ／１ｂのＨＡＲＱ−ＡＣＫリソースは、以下の式（ＲＡＮ１＃７０協定）、すなわち、
0006035621.tif 000003
で表すことができ、ここで、
0006035621.tif 000004
は、ＨＡＲＱ−ＡＣＫに対するＰＵＣＣＨフォーマット１ａ／ｂリソース、
0006035621.tif 000005
は、ＤＬ割り当てを搬送し検出されたＥＰＤＣＣＨの最下位のｅＣＣＥインデックス、
0006035621.tif 000006
は、上位層（物理層よりも上位のプロトコル層）によって構成されたＵＥ及びＥＰＤＣＣＨセット固有のＰＵＣＣＨリソースオフセット、ｋは、アンテナポートｐに関連するアンテナポート固有のオフセットのような動的なオフセット修飾子、ｐは、対応するＥＰＤＣＣＨの第１のＣＣＥ、或いは他の明示的に信号で伝えられた又は非明示的に得られたパラメータに割り当てられたアンテナポートである。ｋが必要か否かは、ＲＡＮ１＃７０での決定に従って未だ確定されていない点に留意されたい。
【００２７】
例示的な実施形態は、ＴＤＤにおけるＥＰＤＣＣＨに対するＰＵＣＣＨフォーマット１ａ／１ｂリソース配分に関連する。例示的な実施形態は、ＴＤＤにおけるＥＰＤＣＣＨに対するマルチＳＦ  ＰＵＣＣＨリソース配列のフォーマット１ａ／１ｂリソース配分を処理することである。各ＥＰＤＣＣＨセットに対する半静的オフセットの定義は、複数のＤＬサブフレームを考慮することによって拡張され、複数のＤＬサブフレーム間のリソース衝突を解決するために、動的なオフセット機構が拡張される。
【００２８】
例示的な実施形態では、各ＥＰＤＣＣＨセットに対する半静的リソース開始オフセットの拡張定義に関して、リソース衝突は、単一のＵＬサブフレームにマッピングするＤＬサブフレームの数を適応させるように、非明示的なリソース配分を調整するための機構を提供することによって防ぐことができる。ＥＰＤＣＣＨスケジューリングの制限は、所与のＵＥ及び／又はＥＰＤＣＣＨセットに関して完全に直交するＰＵＣＣＨフォーマット１ａ／ｂリソースを有する可能性を許可することによって最小限にすることができる。
【００２９】
例示的な実施形態では、単一の半静的ＵＥ固有のリソース開始オフセット
0006035621.tif 000007
は、Ｍ＝１を仮定して各ＥＰＤＣＣＨセットに対して構成することができる。更に、ＴＤＤの場合に関して、別のパラメータ
0006035621.tif 000008
を導入し、Ｍ＞１である場合、すなわち、複数のＤＬサブフレームに対するＰＵＣＣＨ  ＨＡＲＱ−ＡＣＫリソースが、単一のＵＬサブフレームにマッピングする場合にリソース配分の式に影響を与えることができる。
【００３０】
例示的な実施形態では、Ｍ＞１である場合に、各ＤＬサブフレームに適用されるオフセットは、
0006035621.tif 000009
、
0006035621.tif 000010
、
及びｍに依存しており、ここでｍ（０．．．Ｍ−１）は、ＤＬサブフレームの相対インデックスである。これは、従来技術のＦＤＤの式と比較すると、
0006035621.tif 000011
に基づいて追加のＴＤＤ固有の調整が適用されることを意味する。このことは、図２のように、ＥＰＤＣＣＨセット１及びセット２に関連するＰＵＣＣＨリソースを完全に切り離すことによって、図１に示されている問題を防止することが可能になり、図２は、完全に直交するＰＵＣＣＨ領域を用いたマルチＳＦ  ＰＵＣＣＨリソース配列を示すものである。
【００３１】
例示的な実施形態では、マルチＳＦリソース衝突を解決するための動的なオフセット機構の拡張に関して、半静的オフセットの他に、半静的（プラスサブフレーム固有）オフセットパラメータの先頭にＴＤＤに対する代替的／補完的で動的なオフセット修飾子ｋを適用することが提案されている。開始ポイントは、パラメータｍに依存しない動的なオフセット修飾子を適用するためのものである。換言すると、動的なオフセット修飾子（利用可能な場合）は、ＥＰＤＣＣＨが搬送するコンテンツダウンリンク制御情報から得られる。
【００３２】
例示的な実施形態では、更に、サブフレームインデックスｍに依存する動的なオフセットの拡張バージョンを定義することが可能とすることができる。この場合、複数セットの動的なオフセット修飾子（典型的にＭ個）を規定又は構成することができ、サブフレームインデックスｍは、動的なオフセット修飾子ｋ（Ｒｅｓ＿ｉ，ｍ）の値を決定するための１つの因子として使用することができ、ここでＲｅｓ＿ｉは、ＥＰＤＣＣＨを介してＤＬ  ＤＣＩにおいて信号で伝えられるリソースインデックスである。
【００３３】
動的なオフセットの例示的な実施形態は、ｋ（Ｒｅｓ＿ｉ，ｍ）が、
0006035621.tif 000012
であるときにＣ（ｍ）と定義される場合である。例えば、Ｍ＝１である場合のような所定条件の場合、第２のサブフレームに対応するＡ／Ｎリソースのインデックスは、第１のサブフレームＸm=0のリソースインデックスから（Ｘm=0）＋Ｃとして得られ、ここでＣは所定の数（例えば、１又は３）である。より一般的に言えば、列が（Ｍ−１）個で行がｎ個のマトリックスＣが存在することができる（ｎは、動的なスイッチングの背後の選択肢の数に対応する）。マトリックスＣは、上位層を介して（物理層よりも上位のプロトコル層を介して）構成することができる。
【００３４】
例示的な実施形態では、ＴＤＤに対するリソース配分の式は、３ＧＰＰ規格からの符号を使用して以下のように記述することができる。
0006035621.tif 000013
ここで、
0006035621.tif 000014
はＴＤＤ動作に固有のパラメータである。
0006035621.tif 000015
は、半静的に構成されてＲＲＣシグナリングを介して信号で伝えることができ、或いは、所与のＥＰＤＣＣＨセットにおけるｅＣＣＥ番号に等しいか、又はその倍数とすることができる。結果として得られるＰＵＣＣＨリソース配列が図２に示されている。
0006035621.tif 000016
は、サブフレームｎ−ｋmにおける対応するＥＰＤＣＣＨの送信用に使用される第１のｅＣＣＥの数である。ＵＥは、対応するｍ（ｍ（０．．．Ｍ−１））を選択するが、表１から得られたＥＰＤＣＣＨによってスケーリングされるＰＤＳＣＨのＤＬサブフレームの相対インデックスである。ｋは、アンテナポートｐに関連するアンテナポート固有のオフセットのような動的オフセット修飾子であり、ｐは、対応するＥＰＤＣＣＨの第１のｅＣＣＥ、或いは、明示的に信号で伝えられた又は非明示的に得られたパラメータに割り当てられたアンテナポートである。
【００３５】
パラメータの値に関して、図２におけるＰＵＣＣＨリソース配列を実現するために、パラメータ
0006035621.tif 000017
は、（ＥＰＤＣＣＨセット１に対応するＰＵＣＣＨリソースの数＋ＥＰＤＣＣＨセット２に対応するＰＵＣＣＨリソースの数）として、又は同等に（ＥＰＤＣＣＨセット１におけるｅＣＣＥの番号＋ＥＰＤＣＣＨセット２におけるｅＣＣＥの番号）として設定することができる。ｅＮＢは、マルチＳＦ  ＰＵＣＣＨリソース配列をフレキシブルに制御するために、
0006035621.tif 000018
に対して別の値を構成できることに留意されたい。
【００３６】
0006035621.tif 000019
は、
0006035621.tif 000020
に基づく追加のＴＤＤ固有の調整の特定の形態とみなすことができる点に更に留意されたい。１つの実施例として、
0006035621.tif 000021
とすることができ、図３に示すＰＵＣＣＨリソース配列をもたらし、図３は、完全に直交するＰＵＣＣＨ領域を用いた別のマルチＳＦ  ＰＵＣＣＨリソース配列を示すものであり、ここでＬは、対応するＥＰＤＣＣＨセットにおけるＰＵＣＣＨリソースの数である。別の可能性は、倍数（典型的にはＭ）
0006035621.tif 000022
パラメータが、ＥＰＤＣＣＨセットに対して各ＤＬサブフレームに１つ構成することができる。
【００３７】
また、複数のＤＬサブフレームに対応するリソースの間のインターリーブが実施可能とすることができる。
【００３８】
例示的な実施形態では、各ＥＰＤＣＣＨセットに対する半静的リソース開始オフセットの拡張定義により、異なるＤＬサブフレーム間の完全なＰＵＣＣＨリソース分離が可能となり、詳細には、サブフレーム固有構成が、極めてフレキシブルなサポートの提供を可能にする。
【００３９】
例示的な実施形態は、ＦＤＤモードとＴＤＤモードとの間の類似性を最大にすることを可能にする。Ｍ＝１である（
0006035621.tif 000023
が使用されない）場合には、リソース配分がＦＤＤ解決手段のものに対応する。
【００４０】
例示的な実施形態は、スケジューラのフレキシビリティとＰＵＣＣＨリソース消費とのトレードオフを可能にする。最小のオーバヘッドを用いると、異なるサブフレームに対応するＰＵＣＣＨリソースは、完全に重なり合うことができる
（
0006035621.tif 000024
＝０）。最大のオーバヘッドを用いると、異なるサブフレームに対応するＰＵＣＣＨリソースは完全に直交することができる。
【００４１】
例示的な実施形態では、異なるＥＰＤＣＣＨセットに対応するＰＵＣＣＨリソースに対するサブフレーム整列を行うことが可能になる。異なるサブフレーム間の衝突が存在しないことに起因して、これによりスケジューラの実装が簡素化される。
【００４２】
動的なオフセット機構の拡張により、異なるＤＬサブフレームに対応するＰＵＣＣＨリソース領域が重なり合う場合において、マルチＳＦリソース衝突を解決するフレキシビリティを更に提供することが可能になる。
【００４３】
次に、本発明の例示的な実施形態について、本発明の全てではなく一部の実施形態が示された添付図面を参照しながら以下でより詳細に説明する。実際に、本発明は、多くの異なる形態で具現化することができ、本明細書で記載される実施形態に限定されるものと解釈すべきではなく、むしろ、これらの実施形態は、本開示が適用可能な法的要件を満足するように提供される。本明細書は、複数の箇所において「ある」、「１つの」、「幾つかの」実施形態を参照することがあるが、これは、必ずしも、このような各参照が同じ実施形態に対するものであること又は特徴要素が単一の実施形態にのみに適用されることを意味するものではない。また、異なる実施形態の単一の特徴要素は、他の実施形態を提供するために組み合わせることもできる。本明細書全体にわたって同じ要素を示すために同じ符号が示される。
【００４４】
本発明は、ＥＰＤＣＣＨを介してスケジューリングされるＰＤＳＣＨに対応するＨＡＲＱ−ＡＣＫに対するＰＵＣＣＨリソース配分をサポートする、何れかのユーザ端末、ネットワークノード、サーバ、対応する構成要素、及び／又は何れかの通信システム又は異なる通信システムの何れかの組み合わせに適用することができる。ＥＰＤＣＣＨに関連する別の使用事例、例えば、半永続的なスケジューリングに関連するシグナリングも考慮することができる。通信システムは、固定通信システム、無線通信システム、又は固定ネットワーク及び無線ネットワークの両方を使用する通信システムとすることができる。使用されるプロトコル、すなわち、通信システム、サーバ、ユーザ端末の規格は、特に無線通信において急激に開発されている。このような開発は、実施形態に対する追加の変更を必要とする場合がある。従って、全ての用語及び表現は、広義に解釈される必要があり、実施形態を例示することを意図しており、限定するものではない。
【００４５】
以下では、実施形態を適用できるシステムアーキテクチャの一例として、ＬＴＥ（又はＬＴＥ−Ａ）（ロング・ターム・エボリューション（アドバンスト・ロング・ターム・エボリューション））ネットワーク要素に基づくアーキテクチャを使用した種々の実施形態を説明するが、実施形態は、このようなアーキテクチャに限定されない。これらの実施例において説明される実施形態は、ＬＴＥ無線システムに限定されず、ＵＭＴＳ（ユニバーサル移動体通信システム）、ＧＳＭ（登録商標）、ＥＤＧＥ、ＷＣＤＭＡ（登録商標）、ブルートゥースネットワーク、ＷＬＡＮ、又は他の固定ネットワーク、移動体ネットワーク、もしくは無線ネットワークなど、他の無線システムにおいて実施することもできる。一実施形態では、提示された解決手段は、ＬＴＥ及びＵＭＴＳなど、異なるが互換性のあるシステムに属する要素間で適用することができる。
【００４６】
通信システムの一般的なアーキテクチャが図４に示されている。図４は、一部の要素及び機能エンティティのみを示した簡略的なシステムアーキテクチャであり、全ては、図示のものとは異なる実施構成とすることができる論理ユニットである。図４に示す接続は、論理接続であり、実際の物理的接続は異なるものにすることができる。システムが他の機能及び構造も備えることは、当業者には明らかである。ＰＵＣＣＨリソース配分において又はその目的で使用される機能、構造、要素、及びプロトコルは、本発明とは関係ないことを理解されたい。従って、これらは、本明細書においてより詳細に説明する必要がない。
【００４７】
図４の例示的な無線システムは、ネットワークオペレータのネットワークノード４０１を含む。ネットワークノード４０１は、例えば、ＬＴＥ基地局（ｅＮＢ）、無線ネットワークコントローラ（ＲＮＣ）、又は他の何れかのネットワーク要素、もしくはネットワーク要素の組み合わせを含むことができる。ネットワークノード４０１は、移動通信交換局（ＭＳＣ）、ＭＳＣサーバ（ＭＳＳ）、モビリティ管理エンティティ（ＭＭＥ）、ゲートウェイＧＰＲＳサポートノード（ＧＧＳＮ）、サービングＧＰＲＳサポートノード（ＳＧＳＮ）、ホーム・ロケーション・レジスタ（ＨＬＲ）、ホーム加入者サーバ（ＨＳＳ）、ビジター・ロケーション・レジスタ（ＶＬＲ）のような１つ又はそれ以上のコアネットワーク（ＣＮ）要素（図４に図示せず）に接続することができる。図４では、ｅＮＢ（エンハンストノードＢ、エボルブドノードＢ）又は無線システムのネットワーク装置と呼ぶことができる無線ネットワークノード４０１は、公衆陸上移動通信網における無線リソース管理に対する機能をホストする。図４は、無線ネットワークノード４０１のサービスエリアに位置する１つ又はそれ以上のユーザ装置４０２を示している。ユーザ装置は、携帯用コンピュータデバイスを指し、ユーザ端末と呼ぶこともできる。このようなコンピュータデバイスは、ハードウェア又はソフトウェアの加入者識別モジュール（ＳＩＭ）を使用して又は使用することなく動作する無線移動体通信デバイスを含み、限定ではないが、以下のタイプのデバイス、すなわち、携帯電話、スマートフォン、携帯情報端末（ＰＤＡ）、ハンドセット、ラップトップコンピュータが含まれる。図４の例示的な状況では、ユーザ装置４０２は、接続４０３を介して無線ネットワークノード４０１に接続することができる。
【００４８】
図５は、本発明の実施形態による装置のブロック図である。図５は、無線ネットワークノード４０１の領域に位置するユーザ装置４０２を示している。ユーザ装置４０２は、無線ネットワークノード４０１と接続するように構成される。ユーザ装置又はＵＥ４０２は、メモリ５０２及びトランシーバ５０３に動作可能に接続されたコントローラ５０１を含む。コントローラ５０１は、ユーザ装置４０２の動作を制御する。メモリ５０２は、ソフトウェア及びデータを格納するように構成される。トランシーバ５０３は、無線ネットワークノード４０１に対する無線接続４０３をセットアップし維持するように構成される。トランシーバ５０３は、アンテナ装置５０５に接続されたアンテナポート５０４のセットに動作可能に接続される。アンテナ装置５０５は、アンテナセットを含むことができる。アンテナの数は、例えば、１つから４とすることができる。アンテナの数は、特定の数に限定されない。ユーザ装置４０２はまた、ユーザインタフェース、カメラ、及びメディアプレーヤーのような他の様々な構成要素を含むことができる。これらは、簡単にするために図面には表示されていない。ＬＴＥ基地局（ｅＮｏｄｅ−Ｂ、ＮＢ）のような無線ネットワークノード４０１は、メモリ５０７及びトランシーバ５０８に動作可能に接続されたコントローラ５０６を含む。コントローラ５０１は、無線ネットワークノード４０１の動作を制御する。メモリ５０７は、ソフトウェア及びデータを格納するように構成される。トランシーバ５０８は、無線ネットワークノード４０１のサービスエリア内でユーザ装置４０２への無線接続をセットアップし維持するように構成される。トランシーバ５０８は、アンテナ装置５０５に動作可能に接続される。アンテナ装置５０５は、アンテナセットを含むことができる。アンテナの数は、例えば、２つから４とすることができる。アンテナの数は、特定の数に限定されない。無線ネットワークノード４０１は、無線ネットワークコントローラ（ＲＮＣ）、モビリティ管理エンティティ（ＭＭＥ）、ＭＳＣサーバ（ＭＳＳ）、移動通信交換局（ＭＳＣ）、無線リソース管理（ＲＲＭ）ノード、ゲートウェイＧＰＲＳサポートノード、運用管理保守（ＯＡＭ）ノード、ホーム・ロケーション・レジスタ（ＨＬＲ）、ビジター・ロケーション・レジスタ（ＶＬＲ）、サービングＧＰＲＳサポートノード、ゲートウェイ、及び／又はサーバのような、通信システムの別のネットワーク要素（図６に図示せず）にインタフェースを介して動作可能に（直接又は間接的に）接続することができる。しかしながら、実施形態は、一例として上記に与えられたネットワークに限定されず、当業者であれば、必要な特性を備えた他の通信ネットワークに対して本解決策を適用することができる。例えば、異なるネットワーク要素間の接続は、インターネットプロトコル（ＩＰ）接続を用いて実現することができる。
【００４９】
装置４０１、４０２は、１つのエンティティとして示されているが、異なるモジュール及びメモリは、１つ又はそれ以上の物理的又は論理的なエンティティで実施することができる。本装置はまた、１つの装置又はデバイスであるユーザ端末とすることができ、ユーザ端末及びそのユーザを、加入と関連付け又は関連付けるように構成されており、ユーザが通信システムと相互作用することを可能にする。ユーザ端末は、ユーザに情報を提示し、ユーザが情報を入力することを可能にする。換言すると、ユーザ端末は、ネットワークから情報を受信及び／又はネットワークに情報を送信することができる何れかの端末とすることができ、無線又は固定接続を介してネットワークに接続することができる。ユーザ端末の実施例は、パーソナルコンピュータ、ゲームコンソール、ラップトップ（ノートブック）、携帯情報端末、モバイルステーション（携帯電話）、スマートフォン、及び固定電話を含む。
【００５０】
装置４０１、４０２は、一般に、メモリ及び本装置の様々なインタフェースに接続されたプロセッサ、コントローラ、制御ユニット、又は同様のものを含むことができる。一般に、プロセッサは中央処理装置であるが、追加の演算プロセッサであってもよい。プロセッサは、コンピュータプロセッサ、特定用途向け集積回路（ＡＳＩＣ）、フィールドプログラマブルゲートアレイ（ＦＰＧＡ）、及び／又は実施形態の１つ又はそれ以上の機能を実行するようにプログラムされた他のハードウェア構成要素を含むことができる。
【００５１】
メモリ５０２、５０７は、揮発性メモリ及び／又は不揮発性メモリを含み、典型的にはコンテンツ、データ、又は同様のものを格納することができる。例えば、メモリ５０２、５０７は、実施形態による本装置の動作に関連するステップをプロセッサが実行するためのソフトウェアアプリケーションのようなコンピュータプログラムコード（例えば、検出器ユニット、及び／又は調節ユニット用の）、オペレーティングシステム、情報、データ、コンテンツ、又は同様のものを格納することができる。メモリは、例えば、ランダムアクセスメモリ（ＲＡＭ）、ハードディスクドライブ、他の固定データメモリ、又は記憶装置とすることができる。更に、メモリ又はその一部は、本装置に取り外し可能に接続されたリムーバブルメモリとすることができる。
【００５２】
本明細書において記載した技術は、ある実施形態に関して説明する対応するモバイルエンティティの１又はそれ以上の機能を実行する装置が、従来技術の手段だけでなく、ある実施形態に関して説明する対応する装置の１又はそれ以上の機能を実行する手段も含むように様々な手段によって実行することができ、当該実施形態は、各別個の機能に対する別個の手段を含むことができ、或いは手段は、２又はそれ以上の機能を実行するよう構成することができる。例えば、これらの技術は、ハードウェア（１又はそれ以上の装置）、ファームウェア（１又はそれ以上の装置）、ソフトウェア（１又はそれ以上のモジュール）、又はこれらの組み合わせの形態で実行することができる。ファームウェア又はソフトウェアに関しては、本明細書において説明する機能を実行するモジュール（例えば、手続き、機能等）を通じて実行することができる。ソフトウェアコードは、任意の適切なプロセッサ／コンピュータ読み取り可能データ格納媒体、又はメモリユニット又は製品に格納され、１又はそれ以上のプロセッサ／コンピュータにより実行することができる。データ記憶媒体又はメモリユニットは、プロセッサ／コンピュータ内部で、又はプロセッサ／コンピュータの外部に実装することができ、この場合、当技術分野で公知の様々な手段によってプロセッサ／コンピュータと通信可能に接続することができる。
【００５３】
図６のシグナリング図は、必要とされるシグナリングを示している。図６の実施例では、ネットワークノード４０１（例えば、ＬＴＥ可能な基地局（ｅＮｏｄｅ−Ｂ、ＮＢ）を含むことができる）は、構成信号６０２をユーザ端末４０２（ＵＥ）に送信し、ＴＤＤにおけるＥＰＤＣＣＨシグナリングにおいてＰＵＣＣＨフォーマット１ａ／ｂリソースを使用することによりＵＥ４０２がＨＡＲＱ−ＡＣＫ信号６０６を送信するよう構成することができる。このシグナリング６０２は、例えば、専用の上位層（Ｌ１よりも上位）シグナリング（例えば、ＲＲＣシグナリング）とすることができる。シグナリング６０２を送信する前に、ｅＮＢ４０１は、項目６０１においてリソースを構成することができる。項目６０３において、ＵＥ４０２は、構成信号６０２を受信することができる。項目６０４において、ＥＰＤＣＣＨ  ＤＬ割り当て及びデータがｅＮＢ４０１からＵＥ４０２に送信される。項目６０５において、ＵＥ４０２は、ＤＬデータをスケジューリングするＥＰＤＣＣＨ  ＤＬ割り当てを受信し、ここでＵＥ４０２は、ＥＰＤＣＣＨ  ｅＣＣＥを検出し、ＨＡＲＱ−ＡＣＫリソースを決定する際に第１のｅＣＣＥのインデックスを使用する。ステップ６０５において、ＵＥ４０２は、構成されたパラメータ及びｅＣＣＥインデックスに基づいてリソース配分式を適用する。この式は、ＵＬ（ＰＵＣＣＨ）リソースを出力として与え、このリソースによってＨＡＲＱ−ＡＣＫ６０６がＵＥ４０２からｅＮＢ４０１に送信される。項目６０６において、ＵＥ４０２は、ＴＤＤにおけるＥＰＤＣＣＨシグナリングに対する決定されたＰＵＣＣＨフォーマット１ａ／ｂリソースを使用することによって、ＨＡＲＱ−ＡＣＫ信号６０６を送信することができる。項目６０７において、ｅＮＢ４０１は、ＵＥ４０２からＨＡＲＱ−ＡＣＫシグナリング６０６を受信することができる。
【００５４】
図７は、例示的な実施形態を示すフローチャートである。例えば、ネットワーク要素（ネットワークノード、例えば、ユーザ端末、ＵＥ）を含むことができる装置４０２は、項目７０１において、ＴＤＤにおけるＥＰＤＣＣＨシグナリングに対するＰＵＣＣＨフォーマット１ａ／ｂリソースを使用することによって、ＨＡＲＱ−ＡＣＫ信号を送信するようにＵＥ４０２を構成する構成信号をネットワーク装置４０１（例えば、ＬＴＥ基地局ｅＮＢ４０１を含むことができる）から受信する。受信した構成シグナリングは、例えば、専用の上位層シグナリング（例えば、ＲＲＣシグナリング）とすることができる。項目７０２において、ＵＥ４０２は、ＴＤＤにおけるＥＰＤＣＣＨシグナリングに対して構成されたＰＵＣＣＨフォーマット１ａ／ｂリソースを使用することによって、ＨＡＲＱ−ＡＣＫ信号をｅＮＢ４０１に送信する。
【００５５】
図８は、例示的な実施形態を示すフローチャートである。例えば、ネットワーク要素（ネットワークノード４０１、例えば、ＬＴＥ基地局、ｅＮＢ）を含むことができる装置４０１は、項目８０２において、ＴＤＤにおけるＥＰＤＣＣＨシグナリングに対するＰＵＣＣＨフォーマット１ａ／ｂリソースを使用することによって、ＵＥ４０２がＨＡＲＱ−ＡＣＫ信号を送信するように構成するための構成信号を別のネットワーク要素（ネットワークノード４０２、例えば、ユーザ端末、ＵＥ）に送信する。項目８０２において送信される構成シグナリングは、例えば、専用の上位層シグナリングとすることができる。項目８０２においてシグナリングを送信する前に、ｅＮＢ４０１は、項目８０１においてリソースを構成することができる。項目８０３において、ｅＮＢ４０１は、ＴＤＤにおけるＥＰＤＣＣＨシグナリングに対して構成されたＰＵＣＣＨフォーマット１ａ／ｂリソースを使用することによって、ＵＥ４０１から送信されたＨＡＲＱ−ＡＣＫシグナリングを受信することができる。
【００５６】
図１から８で上記に説明したステップ／ポイント、シグナリングメッセージ、及び関連機能は、絶対的な時系列の順序ではなく、ステップ／ポイントの幾つかは、同時又は所与の順序とは異なる順序で実行することができる。また、ステップ／ポイント間又はステップ／ポイント内で別の機能を実行することができ、他のシグナリングメッセージが、例示のメッセージ間で送信される。更に、ステップ／ポイントの幾つか又はステップ／ポイントの一部は、除外されるか、又は対応するステップ／ポイント又はステップ／ポイントの一部分で置き換えることができる。本装置の動作は、１つ又はそれ以上の物理的又は論理的エンティティにおいて実行できる手続きを示している。シグナリングメッセージは、単に例示的なものであり、同じ情報を送信するための複数の別個のメッセージを含むこともできる。加えて、メッセージはまた、別の情報を含むことができる。
【００５７】
従って、例示的な実施形態によれば、通信システムにおけるリソース配分のための方法が提供され、本方法は、ネットワーク装置において、ダウンリンクサブフレームにおける対応するＥＰＤＣＣＨダウンリンク割り当ての送信用に使用される第１の拡張制御チャネル要素のインデックスと、ＥＰＤＣＣＨダウンリンク割り当てが送信されるダウンリンクサブフレームのインデックスと、１つ又はそれ以上の構成パラメータとに基づいて、時分割複信シグナリングにおけるＨＡＲＱ−ＡＣＫに対するＰＵＣＣＨフォーマット１ａ／１ｂリソースを決定する段階を含む。
【００５８】
別の例示的な実施形態によれば、１つ又はそれ以上の構成パラメータは、ＥＰＤＣＣＨセットに対して定められた第１の半静的ユーザ端末固有リソース開始オフセット、各ＥＰＤＣＣＨセットに対して定められた第２のユーザ端末固有リソースオフセット、及び動的オフセット修飾子のうちの１つ又はそれ以上を含む。
【００５９】
更に別の例示的な実施形態によれば、マルチサブフレームＰＵＣＣＨフォーマット１ａ／１ｂリソース配分は、ＥＰＤＣＣＨを介してスケジューリングされるＰＤＳＣＨに対応するＨＡＲＱ−ＡＣＫに対して実行される。
【００６０】
更に別の例示的な実施形態によれば、Ｍ＝１である場合に、リソース決定は、第２のユーザ端末固有リソースオフセットに依存していない。
【００６１】
更に別の例示的な実施形態によれば、Ｍ＞１である場合の時分割複信シグナリングに関して、第２のユーザ端末固有リソースオフセットは、複数のダウンリンクサブフレームに対するＰＵＣＣＨ  ＨＡＲＱ−ＡＣＫリソースが、単一のアップリンクサブフレームにマッピングされる時のリソース配分に影響を与える。
【００６２】
更に別の例示的な実施形態によれば、各ダウンリンクサブフレームに適用される各ＥＰＤＣＣＨセットに対するオフセットは、第１の半静的ユーザ端末固有リソース開始オフセット、第２のユーザ端末固有リソースオフセット、及びｍに依存しており、ここでｍ（０．．．Ｍ−１）は、ダウンリンクサブフレームの相対インデックスであり、ＭはＨＡＲＱ−ＡＣＫフィードバックに対するアップリンクサブフレームに関連したダウンリンクサブフレームの数である。
【００６３】
更に別の例示的な実施形態によれば、動的オフセット修飾子は、アンテナポート又は出力制御コマンドに依存している。
【００６４】
更に別の例示的な実施形態によれば、動的オフセット修飾子は、動的オフセット修飾子は、サブフレームインデックスｍに依存しないように適用され、動的オフセット修飾子は、ＥＰＤＣＣＨが搬送するダウンリンク制御情報に基づいて得られる。
【００６５】
更に別の例示的な実施形態によれば、動的オフセット修飾子は、動的オフセット修飾子がサブフレームインデックスｍに依存するように適用され、動的オフセット修飾子の複数のセットは、列が（Ｍ−１）個で行がＮ個を有するマトリックスＣと定められ、Ｎは、動的なスイッチングを実行する選択肢の数に対応し、Ｍは、ＨＡＲＱ−ＡＣＫフィードバックに対するアップリンクサブフレームに関連したダウンリンクサブフレームの数であり、サブフレームインデックスｍは、動的オフセット修飾子ｋ（ｎ，ｍ）の値を決定するための１つの因子として使用され、ここでｎは、ＥＰＤＣＣＨを介したダウンリンク制御情報ＤＣＩとして信号で伝えられる動的なスイッチング選択肢のインデックスである。
【００６６】
更に別の例示的な実施形態によれば、ｍ番目のサブフレームＸmに対応するＡＣＫ／ＮＡＣＫリソースのリソースインデックスが、第１のサブフレームＸ０のリソースインデックスからＸ0＋Ｃ（ｍ）として得られ、Ｃ（ｍ）は所定の定数である。
【００６７】
更に別の例示的な実施形態によれば、マトリックスＣは、物理層よりも上位のプロトコル層を介して構成されている。
【００６８】
更に別の例示的な実施形態によれば、動的オフセット修飾子ｋは、アンテナポートｐに関連するアンテナポート固有オフセットであり、ここでｐは、対応するＥＰＤＣＣＨの第１の制御チャネル要素ＣＣＥ、或いは明示的に信号で伝えられた又は非明示的に得られたパラメータに割り当てられるアンテナポートである。
【００６９】
更に別の例示的な実施形態によれば、本方法は、次式、
0006035621.tif 000025
に基づいて時分割複信シグナリングにおけるＥＰＤＣＣＨに対するＰＵＣＣＨフォーマット１ａ／１ｂリソースをスケジューリングすることを含み、ここで、
0006035621.tif 000026
はＨＡＲＱ−ＡＣＫ信号に関して割り当てられるＰＵＣＣＨフォーマット１ａ／１ｂリソースであり、
0006035621.tif 000027
は、ＥＰＤＣＣＨセットに対して定められた第１の半静的ユーザ端末固有リソース開始オフセットであり、
0006035621.tif 000028
は、Ｍ＞１である場合にＥＰＤＣＣＨセットに対して定められた第２のユーザ端末固有リソースオフセットであり、ＭはＨＡＲＱ−ＡＣＫフィードバックに対するアップリンクサブフレームに関連するダウンリンクサブフレームの数であり、ここでｍはダウンリンクサブフレームの相対インデックスであり、
0006035621.tif 000029
であり、
0006035621.tif 000030
は、ダウンリンクサブフレームｎ−ｋmにおける対応するＥＰＤＣＣＨダウンリンク割り当ての送信用に使用される第１の拡張制御チャネル要素ｅＣＣＥのインデックスであり、ここでｍは、ダウンリンクサブフレームの相対インデックスであり、
0006035621.tif 000031
ｋは動的オフセット修飾子である。
【００７０】
更に別の例示的な実施形態によれば、少なくとも１つのプロセッサと、コンピュータプログラムコードを含む少なくとも１つのメモリと、を備える装置が提供され、少なくとも１つのメモリ及びコンピュータプログラムコードは、少なくとも１つのプロセッサを用いて、該装置に対して、ダウンリンクサブフレームにおける対応するＥＰＤＣＣＨダウンリンク割り当ての送信用に使用される第１の拡張制御チャネル要素のインデックスと、ＥＰＤＣＣＨダウンリンク割り当てが送信されるダウンリンクサブフレームのインデックスと、１つ又はそれ以上の構成パラメータとに基づいて、時分割複信シグナリングにおけるＨＡＲＱ−ＡＣＫに対するＰＵＣＣＨフォーマット１ａ／１ｂリソースを決定させるように構成されている。
【００７１】
更に別の例示的な実施形態によれば、少なくとも１つのメモリ及びコンピュータプログラムコードは、少なくとも１つのプロセッサを用いて、装置に対して、ＥＰＤＣＣＨを介してスケジューリングされるＰＤＳＣＨに対応するＨＡＲＱ−ＡＣＫに対するマルチサブフレームＰＵＣＣＨフォーマット１ａ／１ｂリソース配分を実行させるように構成されている。
【００７２】
更に別の例示的な実施形態によれば、少なくとも１つのメモリ及びコンピュータプログラムコードは、少なくとも１つのプロセッサを用いて、装置に対して、アンテナポート又は出力制御コマンドに依存して動的オフセット修飾子ｋを適用させるように構成されている。
【００７３】
更に別の例示的な実施形態によれば、少なくとも１つのメモリ及びコンピュータプログラムコードは、少なくとも１つのプロセッサを用いて、装置に対して、ＥＰＤＣＣＨが搬送するダウンリンク制御情報ＤＣＩに基づいて得られる動的オフセット修飾子が、サブフレームインデックスｍに依存しないように動的オフセット修飾子を適用させるように構成されている。
【００７４】
更に別の例示的な実施形態によれば、少なくとも１つのメモリ及びコンピュータプログラムコードは、少なくとも１つのプロセッサを用いて、装置に対して、動的オフセット修飾子がサブフレームインデックスｍに依存するように動的オフセット修飾子を適用させるように構成されており、ここで動的オフセット修飾子の複数のセットは、列が（Ｍ−１）個で行がｎ個のマトリックスＣであると定められ、Ｎは、動的なスイッチングを実行するための選択肢の数に対応し、Ｍは、ＨＡＲＱ−ＡＣＫフィードバックに対するアップリンクサブフレームに関連するダウンリンクサブフレームの数であり、サブフレームインデックスｍは、動的オフセット修飾子ｋ（ｎ，ｍ）の値を決定するための１つの因子として使用され、ｎは、動的なスイッチング選択肢のインデックスである。
【００７５】
更に別の例示的な実施形態によれば、少なくとも１つのメモリ及びコンピュータプログラムコードは、少なくとも１つのプロセッサを用いて、装置に対して、物理層よりも上位のプロトコル層を介してマトリックスＣを定めさせるように構成されている。
【００７６】
更に別の例示的な実施形態によれば、少なくとも１つのメモリ及びコンピュータプログラムコードは、少なくとも１つのプロセッサを用いて、装置に対して、第２のユーザ端末固有リソースオフセットを、第１のＥＰＤＣＣＨセットに対応するＰＵＣＣＨリソースの数＋第２のＥＰＤＣＣＨセットに対応するＰＵＣＣＨリソースの数として、又は第１のＥＰＤＣＣＨセットにおけるｅＣＣＥの番号＋第２のＥＰＤＣＣＨセットにおけるｅＣＣＥの数として設定させるように構成されている。
【００７７】
更に別の例示的な実施形態によれば、少なくとも１つのメモリ及びコンピュータプログラムコードは、少なくとも１つのプロセッサを用いて、装置に対して、次式、
0006035621.tif 000032
に基づいて時分割複信シグナリングにおけるＥＰＤＣＣＨに対してＰＵＣＣＨフォーマット１ａ／１ｂリソースをスケジューリングさせるように構成されており、
0006035621.tif 000033
は、ＨＡＲＱ−ＡＣＫ信号に対して割り当てられるＰＵＣＣＨフォーマット１ａ／１ｂリソースであり、
0006035621.tif 000034
は、ＥＰＤＣＣＨセットに対して定められた第１の半静的ユーザ端末固有リソース開始オフセットであり、
0006035621.tif 000035
は、Ｍ＞１である場合にＥＰＤＣＣＨセットに対して定められた第２のユーザ端末固有リソースオフセットであり、Ｍは、ＨＡＲＱ−ＡＣＫフィードバックに対するアップリンクサブフレームに関連するダウンリンクサブフレームの数であり、ここでｍは、ダウンリンクサブフレームの相対インデックスであり、
0006035621.tif 000036
であり、
0006035621.tif 000037
は、ダウンリンクサブフレームｎ−ｋmにおける対応するＥＰＤＣＣＨダウンリンク割り当ての送信用に使用される第１の拡張制御チャネル要素ｅＣＣＥのインデックスであり、ここでｍは、ダウンリンクサブフレームの相対インデックスであり、
0006035621.tif 000038
であり、ｋは、動的オフセット修飾子である。
【００７８】
更に別の例示的な実施形態によれば、少なくとも１つのプロセッサと、コンピュータプログラムコードを含む少なくとも１つのメモリと、を備えるユーザ端末が提供され、少なくとも１つのメモリ及びコンピュータプログラムコードは、少なくとも１つのプロセッサを用いて、ユーザ端末に対して、ダウンリンクサブフレームにおける対応するＥＰＤＣＣＨダウンリンク割り当ての送信用に使用される第１の拡張制御チャネル要素のインデックスと、ＥＰＤＣＣＨダウンリンク割り当てが送信されるダウンリンクサブフレームのインデックスと、１つ又はそれ以上の構成パラメータとに基づいて、時分割複信シグナリングに対するＥＰＤＣＣＨによりスケジューリングされるＰＤＳＣＨにＰＵＣＣＨフォーマット１ａ／１ｂリソースマッピングを適用させるように構成されている。
【００７９】
更に別の例示的な実施形態によれば、コンピュータ上でプログラムが実行されたときに、方法のステップの何れかを実行するように構成されたプログラムコード手段を含むコンピュータプログラム製品が提供される。
【００８０】
更に別の例示的な実施形態によれば、コンピュータ上で実行されたときに、方法のステップの何れかを実行するように構成されたプログラムコード手段を含むコンピュータ可読記憶媒体が提供される。
【００８１】
略語の一覧
Ａ／Ｎ  肯定応答（ＡＣＫ）／否定ＡＣＫ
ＥＰＤＣＣＨ  拡張物理アップリンク制御チャネル
ＰＵＣＣＨ  物理アップリンク制御チャネル
ＰＤＣＣＨ  物理ダウンリンク制御チャネル
ＡＰ  アンテナポート
ＤＣＩ  ダウンリンク制御情報
ＳＦ  サブフレーム
ｅＣＣＥ  拡張制御チャネル要素
ＴＤＤ  時分割複信
ＨＡＲＱ  ハイブリッド自動再送要求
ＰＤＳＣＨ  物理ダウンリンク共有チャネル
３ＧＰＰ  第３世代パートナーシッププロジェクト
ＲＡＮ  無線アクセスネットワーク
ＲＲＣ  無線リソース制御
ＤＬ  ダウンリンク
ＵＬ  アップリンク
ＭＵ−ＭＩＭＯ  マルチユーザ多入力多出力
ＣＡ  キャリアアグリゲーション
ＦＤＤ  周波数分割複信
ＵＥ  ユーザ装置
ＯＦＤＭ  直交周波数分割多重方式
Ｒｅｌ  リリース
ＣＣＥ  制御チャネル要素
【符号の説明】
【００８２】
４０１  ｅＮＢ
４０２  ユーザ装置（ＵＥ）
４０３  接続
６０１  構成
６０２  ＲＲＣシグナリング
６０３  受信
６０４  ＥＰＤＣＣＨ  ＤＬ割当及びデータ送信
６０５  受信
６０７  受信
【図１】
0006035621.tif 000054
【図２】
0006035621.tif 000055
【図３】
0006035621.tif 000056
【図４】
0006035621.tif 000057
【図５】
0006035621.tif 000058
【図６】
0006035621.tif 000059
【図７】
0006035621.tif 000060
【図８】
0006035621.tif 000061